(57)【要約】【課題】制振材などの部材を必要とせず、画像を表示するための駆動信号に起因する音鳴りを低減できる表示装置を提供する。【解決手段】この液晶表示装置は、表示制御回路２００と、走査信号線駆動回路３００と、映像信号線駆動回路４００と、液晶パネル５００と、電源回路７００とを備え、表示制御回路２００には、コントロール回路２１と、共通電極駆動回路２４とが含まれる。コントロール回路２１は、回路動作の基準となる基準クロックを生成するスペクトラム拡散クロックジェネレータ（ＳＳＣＧ）２０を内蔵しており、共通電極駆動回路２４は、コントロール回路２１から出力されるスペクトラム拡散された切換指示信号Ｋに基づいて、共通電極を駆動する共通電極信号Ｖｃｏｍを出力する。この構成により、共通電極信号Ｖｃｏｍの駆動周波数が広くばらつくので、音鳴りの最大音圧値を低下させることができる。【選択図】図１
2006023645.tif 000002
【特許請求の範囲】
【請求項１】
画像を表示するための表示部において複数の映像信号線と複数の走査信号線との交差部にそれぞれ対応してマトリクス状に配置された複数の画素形成部に設けられた画素電極と、前記画素電極との間に電圧を印加するために前記画素電極に対応して設けられた共通電極と、前記画像を表す画像信号を受け取り前記画像信号に応じて前記複数の映像信号線に電圧を印加する映像信号線駆動回路と、前記複数の走査信号線を選択的に駆動する走査信号線駆動回路と、前記共通電極を駆動する共通電極駆動信号を出力する共通電極駆動回路とを備える表示装置であって、
前記共通電極駆動回路は、可聴範囲内の周波数であって、複数の異なる周波数成分を有する共通電極駆動信号を出力することを特徴とする、表示装置。
【請求項２】
前記共通電極駆動回路は、スペクトラム拡散された共通電極駆動信号を出力することを特徴とする、請求項１に記載の表示装置。
【請求項３】
前記映像信号線駆動回路、前記走査信号線駆動回路、および前記共通電極駆動回路の所定の動作タイミングを示す信号であって、複数の異なる周波数成分を有するタイミング信号を出力する表示制御回路をさらに備え、
前記表示制御回路は、複数の異なる周波数成分を有するクロック信号を生成するクロック生成回路を含み、前記クロック信号を基準として前記タイミング信号を出力することを特徴とする、請求項１または２に記載の表示装置。
【請求項４】
前記クロック生成回路は、スペクトラム拡散されたクロック信号を生成することを特徴とする、請求項３に記載の表示装置。
【請求項５】
画像を表示するための表示部において複数の映像信号線と複数の走査信号線との交差部にそれぞれ対応してマトリクス状に配置された複数の画素形成部に設けられた画素電極と、前記画素電極との間に電圧を印加するために前記画素電極に対応して設けられた共通電極とを備える表示装置の駆動方法であって、
前記画像を表す画像信号を受け取り前記画像信号に応じて前記複数の映像信号線に電圧を印加する映像信号線駆動ステップと、
前記複数の走査信号線を選択的に駆動する走査信号線駆動ステップと、
可聴範囲内の周波数であって、複数の異なる周波数成分を有する共通電極駆動信号により、前記共通電極を駆動する共通電極駆動ステップと
を含むことを特徴とする、駆動方法。
【請求項６】
前記共通電極駆動ステップは、スペクトラム拡散された共通電極駆動信号により、前記共通電極を駆動することを特徴とする、請求項５に記載の駆動方法。
【発明の詳細な説明】
【技術分野】
【０００１】
本発明は、表示装置に関し、特に、携帯電話等に採用されている小型の液晶表示装置において振動を防止するための駆動回路および駆動方法に関する。
【背景技術】
【０００２】
従来より、スイッチング素子としてＴＦＴ（Ｔｈｉｎ  Ｆｉｌｍ  Ｔｒａｎｓｉｓｔｏｒ：薄膜トランジスタ）を備えるアクティブマトリクス型液晶表示装置が知られている。この液晶表示装置は、互いに対向する２枚の絶縁性の基板から構成される液晶パネルを備えている。液晶パネルの一方の基板には、走査信号線（ゲートバスライン）と映像信号線（ソースバスライン）とが格子状に設けられ、走査信号線と映像信号線との交差部近傍にＴＦＴが設けられている。ＴＦＴは、走査信号線に接続されたゲート電極、映像信号線に接続されたソース電極、およびドレイン電極とから構成される。ドレイン電極は、画像を形成するために基板上にマトリクス状に配置された画素電極と接続されている。また、液晶パネルの他方の基板には、液晶層を介して画素電極との間に電圧を印加するための電極（以下「共通電極」という）が設けられており、画素電極と共通電極と液晶層とによって個々の画素形成部が実現されている。そして、各ＴＦＴのゲート電極が走査信号線からアクティブな走査信号（ゲート信号）を受けたときに当該ＴＦＴのソース電極が映像信号線から受ける映像信号（ソース信号）と、共通電極に供給される共通電極信号とに基づいて、画素形成部の液晶層に電圧が印加される。これにより液晶が駆動され、画面上に所望の画像が表示される。
【０００３】
ところで、液晶には、直流電圧が加わり続けると劣化するという性質がある。このため、液晶表示装置では、液晶層には交流電圧が印加される。これについて、図５および図６を参照しつつ説明する。図５は、アクティブマトリクス型液晶表示装置の液晶パネルの断面を模式的に示した図である。図５に示すように、液晶パネルは、ＴＦＴガラス基板５３と画素電極５９と液晶層５２と共通電極５８とＣＦ（Ｃｏｌｏｒ  Ｆｉｌｔｅｒ）ガラス基板５１とによって構成されている。この液晶層５２への交流電圧の印加は、例えば、上述した各画素形成部に印加する電圧の極性を１フレーム期間毎に反転させることにより実現される。具体的には、共通電極５８の電位を基準とした場合のソース電極の電圧（映像信号電圧）の極性が１フレーム期間毎に反転するように、液晶表示装置の駆動が行われている。なお、１フレーム期間とは、液晶表示装置の全ての画素形成部に電圧を印加し、１画面分の画像を画面上に表示するための期間である。
【０００４】
上述のような液晶表示装置の駆動を実現する技術として、例えば、ライン反転駆動と呼ばれる駆動方式が知られている。図６は、駆動方式としてライン反転駆動が採用されている液晶表示装置における信号波形図である。図６において、符号ＴＨｎ（ＴＨ１、ＴＨ２、ＴＨ３、・・・）はｎ行目の走査信号線が選択されている期間を示し、符号ＴＦは１フレーム期間を示している。映像信号Ｖｓは、図６に示すように、１水平走査期間毎に極性が反転し、さらに、１フレーム期間毎にも極性が反転している。同様に、共通電極信号Ｖｃｏｍも、１水平走査期間毎に極性が反転し、さらに、１フレーム期間毎にも極性が反転している。また、映像信号Ｖｓと共通電極信号Ｖｃｏｍとは、位相が１／２周期（１水平走査期間）ずれている。これにより、液晶層に印加される電圧の極性が１水平走査期間毎に反転し、液晶表示装置の交流駆動が実現されている。
【０００５】
近年、上述のような液晶表示装置は、携帯電話等の電子機器のメイン画面として採用されている。例えば、このような液晶表示装置の１つに、３２０×２４０の解像度をもつＱＶＧＡ（Ｑｕａｒｔｅｒ  Ｖｉｄｅｏ  Ｇｒａｐｈｉｃｓ  Ａｒｒａｙ）と呼ばれる規格のものがある。このような液晶表示装置において、上述のような交流駆動に起因して、図５に示しているＣＦガラス基板５１が振動し、その振動が耳障りな音として感じられることが指摘されている。このような、振動による耳障りな音の発生（以下、「音鳴り」という。）を防止するため、特開平８−１７９２８５号公報には、液晶表示装置の液晶パネル上に制振材を貼付することにより液晶表示装置の交流駆動に起因する振動を減衰させる技術が開示されている。また、特開２０００−１０５７０号公報には、ＥＬ（Ｅｌｅｃｔｒｏ  Ｌｕｍｉｎｅｓｃｅｎｃｅ）素子によるバックライトが採用されている携帯電話において、ＥＬ素子の交流駆動に起因する雑音を防止するために、ＥＬ素子を駆動する交流電圧と逆位相の電圧を生成し、その逆位相の電圧に基づく音をスピーカから出力することにより雑音を除去する技術が開示されている。さらに、特開２００１−３６６０７号公報には、携帯型音響再生装置において、装置の使用者の周囲の騒音を騒音信号として抽出し、その騒音信号とは逆位相の信号と出力すべき音声信号とを合成した信号をヘッドホンから出力することにより騒音を除去する技術が開示されている。
【特許文献１】特開平８−１７９２８５号公報
【特許文献２】特開２０００−１０５７０号公報
【特許文献３】特開２００１−３６６０７号公報
【発明の開示】
【発明が解決しようとする課題】
【０００６】
しかし、上記特開平８−１７９２８５号公報に開示された技術では、制振材によって振動が減衰され音鳴りは低減されるが、液晶パネル上に制振材を貼付しなければならないので、小型化や軽量化の点では好ましくない。また、特開２０００−１０５７０号公報に開示された技術ではＥＬ素子の交流駆動に起因する雑音が除去され、特開２００１−３６６０７号公報に開示された技術では装置の周囲の騒音が除去されるが、ともに画像を表示するための駆動信号に起因する振動による音鳴りを防止できるものではない。
【０００７】
そこで、本発明では、制振材などの部材を必要とせず、表示装置を駆動するための駆動信号に起因する音鳴りを低減することができる表示装置を提供することを目的とする。
【課題を解決するための手段】
【０００８】
第１の発明は、画像を表示するための表示部において複数の映像信号線と複数の走査信号線との交差部にそれぞれ対応してマトリクス状に配置された複数の画素形成部に設けられた画素電極と、前記画素電極との間に電圧を印加するために前記画素電極に対応して設けられた共通電極と、前記画像を表す画像信号を受け取り前記画像信号に応じて前記複数の映像信号線に電圧を印加する映像信号線駆動回路と、前記複数の走査信号線を選択的に駆動する走査信号線駆動回路と、前記共通電極を駆動する共通電極駆動信号を出力する共通電極駆動回路とを備える表示装置であって、
前記共通電極駆動回路は、可聴範囲内の周波数であって、複数の異なる周波数成分を有する共通電極駆動信号を出力することを特徴とする。
【０００９】
第２の発明は、第１の発明において、
前記共通電極駆動回路は、スペクトラム拡散された共通電極駆動信号を出力することを特徴とする。
【００１０】
第３の発明は、第１の発明および第２の発明において、
前記映像信号線駆動回路、前記走査信号線駆動回路、および前記共通電極駆動回路の所定の動作タイミングを示す信号であって、複数の異なる周波数成分を有するタイミング信号を出力する表示制御回路をさらに備え、
前記表示制御回路は、複数の異なる周波数成分を有するクロック信号を生成するクロック生成回路を含み、前記クロック信号を基準として前記タイミング信号を出力することを特徴とする。
【００１１】
第４の発明は、第３の発明において、前記クロック生成回路は、スペクトラム拡散されたクロック信号を生成することを特徴とする。
【００１２】
第５の発明は、画像を表示するための表示部において複数の映像信号線と複数の走査信号線との交差部にそれぞれ対応してマトリクス状に配置された複数の画素形成部に設けられた画素電極と、前記画素電極との間に電圧を印加するために前記画素電極に対応して設けられた共通電極とを備える表示装置の駆動方法であって、
前記画像を表す画像信号を受け取り前記画像信号に応じて前記複数の映像信号線に電圧を印加する映像信号線駆動ステップと、
前記複数の走査信号線を選択的に駆動する走査信号線駆動ステップと、
可聴範囲内の周波数であって、複数の異なる周波数成分を有する共通電極駆動信号により、前記共通電極を駆動する共通電極駆動ステップと
を含むことを特徴とする。
【００１３】
第６の発明は、第５の発明において、
前記共通電極駆動ステップは、スペクトラム拡散された共通電極駆動信号により、前記共通電極を駆動することを特徴とする。
【発明の効果】
【００１４】
上記第１の発明によれば、共通電極駆動回路により、可聴範囲内の周波数であって、複数の異なる周波数成分を有する共通電極駆動信号が出力される。このことにより、共通電極信号の駆動周波数分布は音鳴りの周波数分布と等しいと考えられることから、音鳴りの最大音圧値を小さくすることができる。よって、音鳴りを低減した表示装置が実現される。
【００１５】
上記第２の発明によれば、共通電極駆動回路により、スペクトラム拡散された共通電極駆動信号が出力される。このことにより、共通電極信号の駆動周波数が広く散らばるため、第１の発明と同様の効果を奏する表示装置が実現される。
【００１６】
上記第３の発明によれば、各駆動回路の動作タイミングを示すタイミング信号を生成するための基準となるクロック信号が複数の異なる周波数成分を含む。このことにより、各駆動回路の動作タイミングを合わせつつ、第１の発明と同様の効果を奏する表示装置が実現される。
【００１７】
前記共通電極駆動ステップは、スペクトラム拡散された共通電極駆動信号により、前記共通電極を駆動することを特徴とする。
【００１８】
上記第４の発明によれば、クロック生成回路により、スペクトラム拡散されたクロック信号が生成される。基準となるクロック信号に基づく共通電極信号の駆動周波数が広く散らばるため、第１の発明と同様の効果を奏する表示装置が実現される。
【発明を実施するための最良の形態】
【００１９】
＜１．基礎検討＞
＜１．１  測定装置の構成＞
まず、上述のような液晶表示装置における音鳴りの原因を究明するために以下のような実験を行った。図７は、基礎検討における測定装置を模式的に示した図である。この測定装置は、簡易防音箱９０と信号源基板９１とマイク９２とパーソナルコンピュータ９３とで構成されている。図７に示すように、簡易防音箱９０の中に信号源基板９１とマイク９２を設置し、信号源基板９１およびマイク９２とパーソナルコンピュータ９３とを接続する。ここで、信号源基板９１とは、液晶表示装置を駆動するための駆動回路やガラス基板で構成される一般に「液晶パネル」と呼ばれているもののことである。信号源基板９１の駆動回路は、パーソナルコンピュータ９３から出力される指示信号に基づいて駆動される。マイク９２は、簡易防音箱９０の中の音を取り込む。そして、マイク９２で取り込まれた音はＷＡＶＥファイル（パーソナルコンピュータにおいて一般的に採用されているオペレーションシステムである「Ｗｉｎｄｏｗｓ（登録商標）」における標準の音声ファイル）に変換され、パーソナルコンピュータ９３に取り込まれる。パーソナルコンピュータ９３は、ＷＡＶＥファイルに基づきフーリエ変換を行うことによって、マイク９２で取り込まれた音の周波数成分と振幅（音量）とを測定する。これにより、簡易防音箱９０の中で発生している音の周波数成分と振幅とを測定することができ、駆動回路の駆動周波数の違いによる音の発生の違い等を把握することができる。
【００２０】
＜１．２  測定結果＞
まず、現在音鳴りの低減が課題となっている２．４インチ型ＱＶＧＡと呼ばれる規格の液晶パネル（信号源基板）について上記測定を行った。その結果、周波数スペクトルにおいて１０ｋＨｚ近傍にピークが見られた。ここで、測定に採用された液晶パネルにおける共通電極の駆動周波数は約１０ｋＨｚである。この周波数は、測定の結果周波数スペクトルにおいてピークが見られた周波数と一致している。したがって、共通電極の駆動が音鳴りを引き起こしている可能性があると言える。
【００２１】
次に、上記パネルにおいて、共通電極に直流電圧を供給して測定を行った。その結果、共通電極の駆動周波数が１０ｋＨｚであったときに見られた、周波数スペクトルにおいて１０ｋＨｚ近傍に現れるピークが見られなくなった。
【００２２】
さらに、上記パネルにおいて、共通電極を駆動する共通電極信号Ｖｃｏｍの示す電圧と映像信号線に供給される映像信号Ｖｓの示す電圧とを図８に示すように設定して測定を行った。なお、このとき液晶パネルの液晶層に印加される電圧は図８に示すように一定に保持される。これにより、図９に示すような、共通電極信号Ｖｃｏｍの振幅と音量との関係を示す結果が得られた。図９より、共通電極信号Ｖｃｏｍの振幅が大きいほど音量が大きくなることが把握される。
【００２３】
以上の測定結果より、液晶表示装置における音鳴りが共通電極の駆動に起因していると言うことができる。これを踏まえ、本発明では、表示装置を後述のような構成とすることで音鳴りを解消している。以下、添付図面を参照しつつ、本発明の一実施形態について説明する。
【００２４】
＜２．全体構成＞
図１は、本発明の一実施形態に係るアクティブマトリクス型液晶表示装置の全体構成を示すブロック図である。この液晶表示装置は、表示制御回路２００と、走査信号線駆動回路３００と、映像信号線駆動回路４００と、液晶パネル５００と、電源回路７００とを備えている。表示制御回路２００には、コントロール回路２１と、アナログ出力回路（画像信号生成回路）２２と、タイミング信号生成回路２３と、共通電極駆動回路２４とが含まれている。コントロール回路２１は、回路動作の基準となる基準クロックを生成するスペクトラム拡散クロックジェネレータ（Ｓｐｒｅａｄ  Ｓｐｅｃｔｒｕｍ  Ｃｌｏｃｋ  Ｇｅｎｅｒａｔｏｒ：以下「ＳＳＣＧ」と略称する）２０を内蔵している。なお、本実施形態においては、液晶表示装置の解像度は３２０×２４０（映像信号線が３２０本、走査信号線が２４０本）である。
【００２５】
液晶パネル５００は、前述したように図５に示す断面構造を有しており、ＴＦＴガラス基板５３には、走査信号線（ゲートバスライン）と映像信号線（ソースバスライン）とが格子状に設けられ、走査信号線と映像信号線との交差部近傍にＴＦＴが設けられている。そして、各ＴＦＴのゲート電極が走査信号線からアクティブな走査信号を受けたときに当該ＴＦＴのソース電極が映像信号線から受ける映像信号と、共通電極に供給される共通電極信号とに基づいて、画素形成部の液晶層に電圧が印加される。これにより液晶が駆動され、画面上に所望の画像が表示される。
【００２６】
表示制御回路２００は、液晶パネル５００に表示すべき画像を表す（狭義の）画像データおよび表示動作のタイミング等を決める要素となるデータ（以下、「表示制御データ」という）を外部の信号源から受け取る（以下、外部から送られるこれらのデータＤｗを「広義の画像データ」といい、（狭義の）画像データを符号Ｄｖで示し、表示制御データを符号Ｄｃで示す。）。狭義の画像データＤｖと表示制御データＤｃとを含む広義の画像データＤｗは、表示制御回路２００内のコントロール回路２１に入力される。
【００２７】
コントロール回路２１は、表示制御データＤｃおよびＳＳＣＧ２０により生成される基準クロックに基づいて、電源回路７００を制御するための制御信号Ｓ、タイミング信号生成回路２３および共通電極駆動回路２４の動作タイミングを制御するための切換指示信号Ｋおよび映像信号線駆動回路４００の動作タイミングを示すクロック信号ＣＫを出力する。この切替指示信号Ｋおよびクロック信号ＣＫは、ＳＳＣＧ２０により生成される基準クロックに基づくスペクトラム拡散された信号であり、具体的には表示制御データＤｃのクロック周波数を基準として予め定められた範囲内にスペクトラム拡散された信号である。ここで本明細書において、スペクトラム拡散された信号とは、或る信号の周波数を所定の範囲内で変動させる（例えば周波数変調される）ことにより、上記範囲の周波数成分を含むことになる信号をいう。このようにＳＳＣＧ２０は、一定の周波数を有する発振クロック信号に対して（例えば三角波などで）所定の周波数変調や位相変調を行うことにより、比較的広い周波数帯域にスペクトラム拡散された基準クロック信号を生成する。なお、ＳＳＣＧ２０は、この基準クロック信号の周波数を一定の範囲でランダムに変化させるので、この機能に着目すればランダムクロックジェネレータであるともいえる。
【００２８】
また、コントロール回路２１は、図示されないメモリを内蔵しており、狭義の画像データＤｖをこのメモリに一旦保持し、ＳＳＣＧ２０により生成される基準クロックに基づいて適宜メモリに保持された保持画像データＤｍを出力する。アナログ出力回路２２は、この保持画像データＤｍに基づいてアナログ画像信号Ｄａを出力する。
【００２９】
タイミング信号生成回路２３は、コントロール回路２１から出力される切換指示信号Ｋに基づいて、水平同期信号ＨＳＹ、垂直同期信号ＶＳＹを出力するとともに、コントロール回路２１から受け取ったクロック信号ＣＫを出力する。これらの信号ＣＫ，ＨＳＹ，ＶＳＹも、ＳＳＣＧ２０により生成される基準クロックに基づくことからスペクトラム拡散された信号となる。
【００３０】
共通電極駆動回路２４は、コントロール回路２１から出力されるスペクトラム拡散された切換指示信号Ｋに基づいて、共通電極を駆動する共通電極信号Ｖｃｏｍを出力する。
【００３１】
電源回路７００は、表示制御回路２００内のコントロール回路２１から出力される制御信号Ｓに基づいて、外部から供給される電源電圧から所定のレベルの電圧を生成し、表示制御回路２００および走査信号線駆動回路３００にそれぞれ電圧Ｖ、ＶＧを供給する。
【００３２】
走査信号線駆動回路３００は、表示制御回路２００内のタイミング信号生成回路２３から出力される水平同期信号ＨＳＹおよび垂直同期信号ＶＳＹを受け取り、各走査信号線に走査信号を出力する。
【００３３】
映像信号線駆動回路４００は、表示制御回路２００内のアナログ出力回路２２から出力される映像信号Ｄａとタイミング信号生成回路２３から出力されるクロック信号ＣＫ、水平同期信号ＨＳＹとを受け取り、液晶パネル５００に画像を表示するための映像信号（以下「駆動用映像信号」という）を各映像信号線に出力する。
【００３４】
以上のようにして、走査信号線駆動回路３００から走査信号が、映像信号線駆動回路４００から駆動用映像信号が、共通電極駆動回路２４から共通電極信号Ｖｃｏｍがそれぞれ出力されることにより、各画素形成部には画素電極と共通電極との電位差に相当する電圧が印加され、所望の画像が表示される。ここで駆動回路の動作についてさらに詳しく説明する。
【００３５】
＜３．駆動回路の動作＞
表示制御回路２００は、水平走査期間毎に外部から画像データＤｖを受け取る。なお、１水平走査期間はここでは約５０μ秒である。１水平走査期間に受け取る画像データＤｖには、１ライン分の画像に相当する画像データが含まれている。このような１ライン分の画像データを受け取るタイミングと同期して、その１ライン分の画像データに基づく画像を液晶パネル５００に表示するための処理が実行される。
【００３６】
すなわち、共通電極駆動回路２４は、コントロール回路２１から出力されるスペクトラム拡散された切換指示信号Ｋに基づいて、水平走査期間毎に極性が反転された共通電極信号Ｖｃｏｍを出力する。共通電極は、この共通電極信号Ｖｃｏｍに基づいて、フレーム期間を通じて水平走査期間毎に交流駆動される。なお、本実施形態における共通電極信号Ｖｃｏｍの駆動周波数は約１０ｋＨｚである。
【００３７】
また、映像信号線駆動回路４００も同様に、水平走査期間毎に極性が反転された映像信号Ｖｓを出力する。この映像信号Ｖｓと共通電極信号Ｖｃｏｍとは、位相が１／２周期（１水平走査期間）ずれている。このようなライン反転駆動が採用されている液晶表示装置における信号波形は、図６に示したとおりである。これにより、液晶層に印加される電圧の極性が１水平走査期間毎に反転し、液晶表示装置の交流駆動が実現されている。
【００３８】
そして、走査信号線駆動回路３００は、水平走査期間毎に１ライン目から３２０ライン目までに対応する走査信号を順次アクティブにする。このアクティブな走査信号を受けとった対応する画素形成部のＴＦＴがオンされることにより、そのときに当該ＴＦＴのソース電極が受けとった映像信号と、共通電極に供給される共通電極信号とに基づいて、画素形成部の液晶層に電圧が印加され、画面上に所望の画像が表示される。
【００３９】
＜４．効果＞
以上のように、本実施形態においては、回路動作の基準となる基準クロックがコントロール回路２１に内蔵されるＳＳＣＧ２０によって生成されることにより、スペクトラム拡散されない一般的なクロック信号に比べ、基準クロックの周波数が比較的広い範囲に散らばる。図２（ａ）は、一般的なクロック信号に基づいて生成される共通電極信号Ｖｃｏｍの駆動周波数分布の一例を示す図であり、図２（ｂ）は、ＳＳＣＧ２０の上記基準クロック信号に基づいて生成される共通電極信号Ｖｃｏｍの駆動周波数分布の一例を示す図である。なお、本実施形態では、ｆｃ＝１０ｋＨｚである。
【００４０】
一般的なクロック信号の駆動周波数は、素子特性のばらつきなどの様々な要因により若干変動するため、図２（ａ）に示す一般的なクロック信号に基づいて生成される共通電極信号Ｖｃｏｍの駆動周波数も周波数ｆｃの前後に若干のばらつきを有している。これに対して、ＳＳＣＧ２０の上記基準クロック信号はスペクトラム拡散されているので、この基準クロック信号に基づいて生成される図２（ｂ）に示す共通電極信号Ｖｃｏｍの駆動周波数は、中心周波数ｆｃの前後に広いばらつきを有している。
【００４１】
そして、前述した基礎検討における測定結果から、これらの共通電極信号Ｖｃｏｍの駆動周波数分布は、音鳴りの周波数分布と等しいと考えられる。図３（ａ）は、一般的なクロック信号を使用したときの音鳴りの周波数と音圧との関係を示す図であり、図３（ｂ）は、ＳＳＣＧ２０の上記基準クロック信号を使用したときの音鳴りの周波数と音圧との関係を示す図である。なお、これらの関係図は前述した基礎検討における測定結果から推測される結果として、図２（ａ）および図２（ｂ）に示される共通電極信号Ｖｃｏｍの駆動周波数分布と相似するように示されている。ここで、図３（ｂ）に示す音鳴りの最大音圧値は、図３（ａ）に示す音鳴りの最大音圧値よりも相当小さくなっていることがわかる。したがって、本液晶表示装置では、従来に比べて、画像を表示するための駆動信号に起因する音鳴りを低減することができる。
【００４２】
ここで、ＳＳＣＧ２０の上記基準クロック信号は、数％〜１０％程度の変動範囲内でスペクトラム拡散される（例えば周波数変調される）のが好適である。また、この程度の周波数の変動により、アクティブマトリクス型液晶表示装置の表示品位に悪影響を生じることはほとんどない。この点、ＳＳＣＧ２０における周波数の変動範囲を、一般的な高周波（数百ＫＨｚ〜数百ＭＨｚ）用ＳＳＣＧに使用される０．５〜１．５％程度とするときには、音鳴りは若干程度低減するに過ぎない。一般的には、表示品位に影響がない限り、上記周波数の変動幅が大きいほど音鳴りの最大音圧値が低下するだけでなく、特定の音が聞き取りにくくなることから利用者にとって音鳴りが気にならなくなるため、より好適である。なお、一般的な高周波用ＳＳＣＧは、電磁波妨害（ＥｌｅｃｔｒｏＭａｇｎｅｔｉｃ  Ｉｎｔｅｒｆｅｒｅｎｃｅ：ＥＭＩ）対策に使用されるが、本実施形態におけるＳＳＣＧ２０は、ＥＭＩとは無関係の低い周波数帯で使用されるので、ＳＳＣＧ２０を使用してもＥＭＩ対策とはならない。
【００４３】
＜５.  変形例＞
本実施形態においては、スペクトラム拡散された基準クロック信号を生成することにより、共通電極信号Ｖｃｏｍの駆動周波数に広いばらつきを生じさせる構成であるが、共通電極駆動回路２４に与えられる切換指示信号Ｋや共通電極信号Ｖｃｏｍがスペクトラム拡散される（例えば周波数変調される）ことにより、共通電極信号Ｖｃｏｍの駆動周波数に広いばらつきを生じさせてもよい。
【００４４】
また、スペクトラム拡散変調以外の変調方法または変換方法、例えば基準クロックの周波数を所定範囲内で周期的に変動させる構成などにより、共通電極信号Ｖｃｏｍの駆動周波数に広いばらつきを生じさせてもよい。
【００４５】
さらに、共通電極信号Ｖｃｏｍの駆動周波数に広いばらつきを生じさせるのは、上述したように音鳴りの最大音圧値を低下させるためであるから、共通電極信号Ｖｃｏｍの駆動周波数は必ずしも広い範囲にばらつく必要はなく、複数の異なる周波数成分を適宜有する構成、究極的には２つの異なる周波数成分を有する構成であってもよい。具体的には、コントロール回路２１は、ＳＳＣＧ２０に代えて、２つの異なる周波数のクロック信号のいずれかを所定の短い単位時間内に（交互に）生成することにより２つの周波数成分を有するクロック信号を生成するクロック信号生成器を含んでいてもよい。図４（ａ）は、このクロック信号生成器が生成する基準クロック信号に基づく共通電極信号Ｖｃｏｍの駆動周波数分布を示す図であり、図４（ｂ）は、上記基準クロック信号を使用したときの音鳴りの周波数と音圧との関係を示す図である。図４（ｂ）に示されるように、２つの異なる周波数を有するように適宜分散される（切り換えられる）ことにより、図３（ａ）に示す場合よりも音鳴りの最大音圧値を低下させることができる。
【図面の簡単な説明】
【００４６】
【図１】本発明の一実施形態に係る液晶表示装置の全体構成を示すブロック図である。
【図２】上記実施形態（および従来例）における共通電極信号Ｖｃｏｍの駆動周波数分布を示す図である。
【図３】上記実施形態（および従来例）における音鳴りの周波数と音圧との関係を示す図である。
【図４】上記実施形態の変形例における、共通電極信号Ｖｃｏｍの駆動周波数分布、および音鳴りの周波数と音圧との関係を示す図である。
【図５】アクティブマトリクス型液晶表示装置の液晶パネルの断面図である。
【図６】駆動方式としてライン反転駆動が採用されている液晶表示装置における信号波形図である。
【図７】基礎検討における測定装置を模式的に示した図である。
【図８】基礎検討における測定条件を示す図である。
【図９】基礎検討において、共通電極信号の振幅と音量との関係を示す図である。
【符号の説明】
【００４７】
２０…スペクトラム拡散クロック生成回路（ＳＳＣＧ）
２１…コントロール回路
２２…アナログ出力回路（画像信号生成回路）
２３…タイミング信号生成回路
２４…共通電極駆動回路
２００…表示制御回路
３００…走査信号線駆動回路
４００…映像信号線駆動回路
５００…液晶パネル
７００…電源回路
Ｄｍ…保持画像データ
Ｄｖ…（狭義の）画像データ
Ｋ…切換指示信号
Ｖｃｏｍ…共通電極駆動信号
【図１】
2006023645.tif 000003
【図２】
2006023645.tif 000004
【図３】
2006023645.tif 000005
【図４】
2006023645.tif 000006
【図５】
2006023645.tif 000007
【図６】
2006023645.tif 000008
【図７】
2006023645.tif 000009
【図８】
2006023645.tif 000010
【図９】
2006023645.tif 000011